(57)【要約】【課題】組み立てた状態での高さを高くし、折り畳み状態の嵩を低くする。【解決手段】第１の側板２の回動枢支位置の高さが同じで、倒した状態で第１の側板２同士が互いに面接触状態で重複するように構成する。第１の側板２を倒した状態で下に位置する側板の一部が底板１上面側に当接する。第１の側板２の先端部の倒した状態で下面となる部位に凹み部１０を設けて倒した状態で上になる側板の凹み部１０が倒した際に下となる側板の先端部の上面に接触するように構成する。第２の側板３の回動枢支位置の高さが同じで、倒した状態で対となった第２の側板３がいずれも水平となるように構成する。起立状態で第１の側板２の両端部を支持して第１の側板２が起立状態で外側に倒れるのを防止する支持突部４を第１の側板２の両端部に突設し、第２の側板３を倒した状態で支持突部４を底板１の受け部５に当接する。【選択図】        図１
2010116211.tif 000002
【特許請求の範囲】
【請求項１】
矩形状の底板の対向する一対の辺にそれぞれ回動自在に取付けた一対の第１の側板と、対向する他の一対の辺に回動自在に取付けた一対の第２の側板とを、一対の第１の側板を倒した上に一対の第２の側板を倒した状態で折り畳み且つ一対の第２の側板を起立させた後に一対の第１の側板を起立させて箱形状に組み立てる折り畳みコンテナであって、
一対の第１の側板の回動枢支位置の高さが同じで、且つ、倒した状態で第１の側板同士が互いに面接触状態で重複するように構成すると共に倒した状態で対をなす第１の側板の下に位置する側板の一部が底板上面側に当接し、一対の第１の側板の先端部の倒した状態で下面となる部位に凹み部を設けて倒した状態で上になる側板の凹み部が倒した際に下となる側板の先端部の上面に接触するように構成し、
対をなす第２の側板の回動枢支位置の高さが同じで、且つ、倒した状態で対となった第２の側板がいずれも水平となるように構成し、起立状態で第１の側板の両端部を支持して第１の側板が起立状態で外側に倒れるのを防止するための支持突部を第１の側板の両端部に突設し、対をなす第２の側板を倒した状態で両端部の支持突部を底板の他の一対の辺側の両端部に設けた受け部に当接して成ることを特徴とする折り畳みコンテナ。
【発明の詳細な説明】
【技術分野】
【０００１】
本発明は、折り畳みコンテナに関するものである。
【背景技術】
【０００２】
従来から、長方形状の底板の対向する長辺に長辺側の側板を回動自在に取付け、また、対向する短辺に短辺側の側板を回動自在に取付けた折り畳みコンテナが知られている。例えば、実開昭６３−１１７７２５号（公報特許文献１）にはこの種の折り畳みコンテナが開示してある。この実開昭６３−１１７７２５号公報に示された従来例にあっては、図１３に示すようなもので、折り畳み状態では対をなす短辺側の側板３がいずれも底板１の上面に水平状態で面接触して重なり、また、対をなす長辺側の側板２がいずれも水平状態で短辺側の側板３の上面に面接触して重なるように折り畳まれるようになっており、このため折り畳んだ状態における嵩を低くできるものである。
【０００３】
ところで、上記従来例にあっては、長辺側の側板２の長辺と直交する方向の長さ（つまり長辺側の側板２の高さ方向の長さ）が底板１の短辺側の長さの略１／２よりも短くなり、短辺側の側板３の短辺方向と直交する方向の長さ（つまり短辺側の側板３の高さ方向の長さ）が底板１の長辺側の長さの略１／２よりも短くなっているので、上記のようにコンパクトに折り畳むことができるが、箱状に組み立てた状態における高さが低く（つまり深さが浅く）、収納量が少なく、また、背の高い収納物を入れた場合、箱状に組み立てた折り畳みコンテナの上開口から上方にはみ出し、収納状態で折り畳みコンテナを上下方向に積み重ねることができないという問題がある。
【０００４】
そこで、箱状に組み立てた状態における高さを高く（つまり深さを深く）、収納量を多く、また、背の高い収納物を収納することができるように、例えば、長辺側の側板２の長辺と直交する方向の長さを底板１の短辺側の長さの略１／２以上の長さとすることが考えられる。図において９は側板２の回動枢支のための横軸部であり、図において両側の対向する横軸部９の高さは同一レベルとなっている。
この場合、図１２（ａ）（ｂ）のように、折り畳んだ状態で対となった長辺側の側板２同士が重なり、図１２のＨで示す折り畳み高さが高くなってしまい、折り畳み状態で搬送する場合や折り畳み状態で収納する場合における嵩が高くなってしまうという問題がある。
【０００５】
なお、一方の長辺側の側板の枢支位置と他方の長辺側の側板の枢支位置とを異なる高さ位置とすることも考えられ、これだと上記のＨで示す折り畳み高さを低くできるが、一方の長辺側の側板が他方の長辺側の側板よりも高さ方向の長さが長く、両長辺側の側板を同一金型で成形出来ず、また、折り畳みに当たっても、高さ方向の長さが長い方の長辺側の側板を先に倒し、その後に高さ方向の長さが短い方の長辺側の側板を倒してその上に重ねるというように両長辺側の側板の折り畳み順序が決まっており、長辺側の側板の折り畳み順序を逆にすると折り畳むことができないものであり、したがって、このものはコスト的にも、操作性の面でも実用的でないものである。
【先行技術文献】
【特許文献】
【０００６】
【特許文献１】実開昭６３−１１７７２５号公報
【発明の概要】
【発明が解決しようとする課題】
【０００７】
本発明は上記の問題点に鑑みて発明したものであり、折り畳みコンテナにおいて、箱状に組み立てた状態における高さを高くできるとともに折り畳み状態における嵩を低くでき、しかも、安定した状態で折り畳むことができる折り畳みコンテナを提供することを課題とするものである。
【課題を解決するための手段】
【０００８】
本発明の折り畳みコンテナは、矩形状の底板１の対向する一対の辺にそれぞれ回動自在に取付けた一対の第１の側板２と、対向する他の一対の辺に回動自在に取付けた一対の第２の側板３とを、一対の第１の側板２を倒した上に一対の第２の側板３を倒した状態で折り畳み且つ一対の第２の側板３を起立させた後に一対の第１の側板２を起立させて箱形状に組み立てる折り畳みコンテナであって、一対の第１の側板２の回動枢支位置の高さが同じで、且つ、倒した状態で第１の側板２同士が互いに面接触状態で重複するように構成すると共に倒した状態で対をなす第１の側板２の下に位置する側板の一部が底板１上面側に当接し、一対の第１の側板２の先端部の倒した状態で下面となる部位に凹み部１０を設けて倒した状態で上になる側板の凹み部１０が倒した際に下となる側板の先端部の上面に接触するように構成し、対をなす第２の側板３の回動枢支位置の高さが同じで、且つ、倒した状態で対となった第２の側板３がいずれも水平となるように構成し、起立状態で第１の側板２の両端部を支持して第１の側板２が起立状態で外側に倒れるのを防止するための支持突部４を第１の側板２の両端部に突設し、対をなす第２の側板３を倒した状態で両端部の支持突部４を底板１の他の一対の辺側の両端部に設けた受け部５に当接して成ることを特徴とするものである。このような構成とすることで、箱状に組み立てた状態における折り畳みコンテナの高さを高くできるとともに折り畳み状態における嵩を低くできるものである。しかも、折り畳みコンテナの折り畳み状態における嵩を低くしたにもかかわらず、重複する対をなす側板の回動枢支位置の高さを同じ高さ位置とすることで、重複する対をなす側板として同一金型で成形したものであっても使用することが可能となるものであり、また、重複する対をなす側板の先端部の倒した状態で下面となる部位に凹み部１０を設け、倒した状態で上になる側板の凹み部１０が倒した際に下となる側板の先端部の上面に接触するように構成してあるので、折り畳み状態における嵩をいっそう低くできると共に、折り畳み時に対となった２枚の側板のうちどちらを先に倒しても折り畳むことが可能なような構成とすることもできるものである。更に、倒して折り畳んだ状態で傾斜した第１の側板２の上に対をなす第２の側板３をいずれも水平に倒した第２の側板３を両端部の支持突部４を底板１の長辺側の両端部に設けた受け部５に当接して支持できて、第２の側板３を安定して水平状態に保持できるものである。
【発明の効果】
【０００９】
本発明は、一対の第１の側板の回動枢支位置の高さが同じで、且つ、倒した状態で第１の側板同士が互いに面接触状態で重複するように構成すると共に倒した状態で対をなす第１の側板の下に位置する側板の一部が底板上面側に当接し、一対の第１の側板の先端部の倒した状態で下面となる部位に凹み部を設けて倒した状態で上になる側板の凹み部が倒した際に下となる側板の先端部の上面に接触するように構成し、対をなす第２の側板の回動枢支位置の高さが同じで、且つ、倒した状態で対となった第２の側板がいずれも水平となるように構成し、起立状態で第１の側板の両端部を支持して第１の側板が起立状態で外側に倒れるのを防止するための支持突部を第１の側板の両端部に突設し、対をなす第２の側板を倒した状態で両端部の支持突部を底板の他の一対の辺側の両端部に設けた受け部に当接するので、箱状に組み立てた状態における折り畳みコンテナの高さを高くできるとともに折り畳み状態における嵩を低くできて、流通コストを下げることができる折り畳みコンテナを提供することができるものである。また、折り畳みコンテナの折り畳み状態における嵩を低くしたにもかかわらず、重複する対をなす第１の側板の回動枢支位置の高さを同じ高さ位置としてあるので、重複する対をなす側板として同一金型で成形したものであっても使用することが可能となるものであって、コストの低減が可能となり、また、重複する対をなす第１の側板の先端部の倒した状態で下面となる部位に凹み部を設け、倒した状態で上になる側板の凹み部が倒した際に下となる側板の先端部の上面に接触するように構成してあるので、折り畳み状態における嵩をいっそう低くできると共に、折り畳み時に対となった２枚の側板のうちどちらを先に倒しても折り畳むことが可能なような構成とすることもできて、折り畳みが容易となるものである。しかも、倒して折り畳んだ状態で傾斜した第１の側板の上に対をなす第２の側板をいずれも水平状態で線接触状態で当接しただけでは水平に倒した第２の側板の支持が安定し難い場合があるが、第２の側板の両端部の支持突部を底板の他の一対の辺の両端部に設けた受け部に当接して第２の側板を安定して水平状態に保持できるものである。
【図面の簡単な説明】
【００１０】
【図１】本発明の一実施形態の折り畳みコンテナを折り畳んだ状態の断面図であって、（ａ）は図３のＸ−Ｘ線の断面図であり、（ｂ）は図３のＹ−Ｙ線の断面図である。
【図２】同上の折り畳みコンテナを折り畳んだ状態の斜視図である。
【図３】同上の折り畳んだ状態の平面図である。
【図４】同上の短辺側の正面図である。
【図５】同上の対となった長辺側の側板を倒し且つ短辺側の側板を倒す前の状態の断面図である。
【図６】同上の対となった長辺側の側板を倒し且つ短辺側の側板を倒す前の状態の平面図である。
【図７】同上の箱形状に組み立てた状態の斜視図である。
【図８】同上の箱形状に組み立てた状態の片側半分を断面にした正面図である。
【図９】同上の箱形状に組み立てた状態の片側半分を断面にした側面図である。
【図１０】同上の折り畳みコンテナを折り畳んで上下に複数積み重ねた状態の正面図である。
【図１１】本発明において長辺側の側板を折り畳んだ状態で嵩が低くなることを説明するための説明図である。
【図１２】（ａ）（ｂ）は従来例において側板を折り畳んだ状態で嵩が高くなることを説明するための説明図である。
【図１３】（ａ）（ｂ）は他の従来例を示す箱状に組み立てた状態の斜視図及び折り畳んだ状態の斜視図である。
【発明を実施するための形態】
【００１１】
以下本発明の実施形態につき説明する。
【００１２】
本発明の折り畳みコンテナは、合成樹脂製の矩形状の底板１の対向する一対の辺にそれぞれ回動自在に取付けた一対の第１の側板２と、対向する他の一対の辺に回動自在に取付けた一対の第２の側板３とを、一対の第１の側板２を倒した上に一対の第２の側板３を倒した状態で折り畳み且つ一対の第２の側板３を起立させた後に一対の第１の側板２を起立させて箱形状に組み立てるようになっている。
【００１３】
折り畳みコンテナは底板１が長方形をしていて折り畳んだ際に平面視長方形となり且つ箱状に組み立てた際に平面視長方形の箱となるタイプのものと、底板１が正方形をしていて折り畳んだ際に平面視正方形となり且つ箱状に組み立てた際に平面視正方形の箱となるタイプのものとがあり、本発明においては上記いずれのタイプの折り畳みコンテナであってもよいものであるが、添付図面には底板１が長方形をしている実施形態を示している。以下、底板１が長方形の場合を例として図１乃至図１１に基づいて説明する。そして、以下の説明においては、第１の側板２を長辺側の側板２ａとし、第２の側板３を短辺側の側板３ａとして説明する。
【００１４】
合成樹脂製の長方形状の底板１の対向する長辺側の辺には長辺側の側板２ａが回動自在に取付けてあり、また、底板１の対向する短辺側の辺には短辺側の側板３ａが回動自在に取付けてある。
【００１５】
長辺側の側板２ａは底板１の長辺と直交する方向の長さが底板１の短辺側の長さの略１／２以上の長さとなっていて、回動して折り畳んだ場合、対となった長辺側の側板２ａ同士が一部重複するようになっている。また、添付図面の実施形態では短辺側の側板３ａは底板１の短辺と直交する方向の長さが底板１の長辺側の長さの略１／２よりも短い長さとなっていて、回動して折り畳んだ場合、対となった短辺側の側板３ａ同士は重複しないようになっている。
【００１６】
長辺側の側板２ａ、短辺側の側板３ａはいずれも下端部を横軸部９ａ、９ｂにより底板１に回動自在に取付けてある。
【００１７】
ここで、対となった長辺側の両側板２ａの底板１への各枢支部分の高さ位置（横軸部９ａ、９ａの高さ位置）は同じ高さ位置となっている。また、対となった短辺側の側板３ａの短辺側の両側板３ａの底板１への各枢支部分の高さ位置（横軸部９ｂ、９ｂの高さ位置）は同じ高さ位置となっている。そして、短辺側の側板３ａの底板１への枢支位置（横軸部９ｂ、９ｂの高さ位置）と長辺側の側板２ａの底板１への枢支部分の高さ位置（横軸部９ａ、９ａの高さ位置）とは高さを違わせてあり、長辺側の側板２ａの枢支部分の高さ位置よりも短辺側の側板３ａの枢支部分の高さ位置を高くしてあり、折り畳むに当たっては、先に底板１の上に長辺側の側板２ａを折り畳んで重ね、次に、短辺側の側板３ａを折り畳んで長辺側の側板２ａの上に重ねるようになっている。
【００１８】
添付図面に示す実施形態においては、図１（ａ）、図２、図５、図９、図１０等に示すように、底板１の上面部の長辺側には立ち上がり突部１２ａが設けてあり、該立ち上がり突部１２ａの凹部内に長辺側の横軸部９ａが位置している。
【００１９】
また、図１（ａ）、図２、図５、図９、図１０等に示すように、底板１の上面部の短辺側には立ち上がり突部１２ｂが設けてあり、該立ち上がり突部１２ｂの凹部に短辺側の横軸部９ｂが位置している。
【００２０】
上記横軸部９ａの高さ位置は次のようにして設定してある。すなわち、両長辺側の側板２ａのうちいずれか一方を先に倒して該先に倒した方の長辺側の側板２ａを先端側程下となるように傾斜させるとともに該長辺側の側板２ａの一部を底板１の上面側に当接させ、次に、他方の長辺側の側板２ａを倒した場合、後で倒した方の長辺側の側板２ａが先に倒した方の長辺側の側板２ａと面接触して重なり合うような関係となるように横軸部９ａの高さ位置が設定してある。したがって、長辺側の側板２ａの厚みや高さ方向の長さにより、上記の条件を満たす横軸部９ａの高さ位置が異なるものとして設定される。
【００２１】
また、上記横軸部９ｂの高さ位置は次のようにして設定してある。すなわち、上記のようにして対をなす長辺側の側板２ａを折り畳んで長辺側の側板２ａを傾斜状態で面接触させて重複させた状態で、傾斜した上の長辺側の側板２ａ上に対をなす短辺側の側板３ａをいずれも水平状態で当接できるように横軸部９ｂの高さ位置が設定してある。
【００２２】
短辺側の側板３ａの両端部には、起立状態で長辺側の側板２ａの両端部を支持して長辺側の側板２ａが起立状態で外側に倒れるのを防止するための支持突部４が突設してある。
【００２３】
しかして、上記の構成の折り畳みコンテナの使用に当たっては、図８、図９のように箱状に組み立てた状態で内部に収納物を収納して搬送するものであるが、使用しない場合には、折り畳んでコンパクトにした状態で搬送したり、保管したりするものである。
【００２４】
ここで、箱状に組み立てた折り畳みコンテナを折り畳むに当たっては、先ず、対をなす長辺側の側板２ａのうちのいずれか一方を回動して倒すことで該一方の長辺側の側板２ａを斜めに傾斜させた状態でその一部を底板１の上面側に当接する。次に、他方の長辺側の側板２ａを回動して倒すことで該他方の長辺側の側板２ａをその一部を先に倒した斜めに傾斜させた一方の長辺側の側板２ａに重複させるものである。この場合、対を構成する長辺側の側板２ａ同士が倒した状態で該長辺側の側板２ａの縦横方向において互いに平行状態で重複させるものである。つまり、面接触状態で対を構成する長辺側の側板２ａ同士が倒した状態で面接触するものである。ここで、面接触とは面同士が接触して重複する場合だけでなく、一方が面で他方が長辺側の側板の縦方向及び横方向に形成した縦横のリブ又は格子状のリブの際に面と縦横のリブ又は格子状のリブが接触する場合、または、長辺側の側板の縦方向及び横方向に形成した縦横のリブ又は格子状のリブの際に縦横のリブ又は格子状のリブが接触する場合とがあり、いずれの場合も対をなす長辺側の側板２ａ同士が当該長辺側の側板２ａの縦横方向において互いに平行状態で重複することになる。
【００２５】
これによりそれぞれ回動枢支位置の高さが同じ対となった両長辺側の側板２ａを図５、図６のように互いに一部が斜めに傾斜した状態で、重複部分においては当該長辺側の側板２ａの縦横方向において互いに平行状態で重複することになる。このように、回動枢支位置の高さが同じ対となった両長辺側の側板２ａを互いに重複部分において当該長辺側の側板２ａの縦横方向において互いに平行状態で重複するように折り畳むことで、図１１の模式図に示すように、Ｈで示す長辺側の側板２ａの折り畳み高さを、長辺側の側板２ａが底板１の短辺側の長さの略１／２以上の長さとなったものを折り畳んだ場合において最も短くできて、従来の図１２（ａ）、（ｂ）に比べて折り畳んだ場合の嵩を低くできるものである。なお、対となった長辺側の側板２ａを折り畳む際には両長辺側の側板２ａの回動枢支位置が同じ高さであるため、どちらの長辺側の側板２ａを先に倒しても互いに一部が面接触状態で重複することができて、両長辺側の側板２ａの折り畳み順序に制約がないものとすることができるものである。
【００２６】
上記のように対となった長辺側の側板２ａを折り畳んだ後、回動枢支位置の高さが同じ対となった短辺側の側板３ａを回動して倒し、図１、図２、図３に示すように、両短辺側の側板３ａを水平に倒した状態で先に倒して重ねた対の長辺側の側板２ａのうちの上の長辺側の側板２ａに当接するものである。このように、回動枢支位置の高さが同じ対となった両短辺側の側板３ａを水平に倒した状態で先に倒して重ねた対の長辺側の側板２ａのうちの上の長辺側の側板２ａに当接することで、長辺側の側板２ａ上に短辺側の側板３ａを最も嵩低く折り畳むことができるものである。
【００２７】
したがって、本発明によれば、上記の理由で折り畳みコンテナを折り畳んだ場合における嵩を低くでき、折り畳み状態での搬送や保管に当たってスペースをできるだけ取らないようにできるものである。
【００２８】
ところで、上記のように、折り畳み状態における折り畳みコンテナの上面部に水平姿勢の短辺側の側板３が位置するので外観が良いものである。図１０は折り畳みコンテナを上下に積み重ねた状態を示している。
【００２９】
また、上記のように短辺側の側板３ａを水平に倒した状態で先に倒して重ねた対の長辺側の側板２ａのうちの上の長辺側の側板２ａに当接した状態で、図１（ｂ）に示すように、短辺側の側板３ａの両端部に設けた支持突部４が底板１の長辺側の両端部に設けた受け部５に当接するように構成してある。これにより倒して折り畳んだ状態で水平に倒した短辺側の側板３ａの両端部の支持突部４を底板１の長辺側の両端部に設けた受け部５に当接して短辺側の側板３ａを安定して水平状態に保持できるものである。
【００３０】
ここで、倒して折り畳んだ状態で傾斜した長辺側の側板２ａの上に対をなす短辺側の側板３ａをいずれも水平状態で線接触状態で当接すると、短辺側の側板３ａは両端部を支持突部４部分で底板に支持するだけでなく、短辺側の側板３ａの中間部分においても支持され、これにより短辺側の側板３ａの中間部分が下方に撓むことがなく、倒した状態で短辺側の側板３ａに荷重がかかっても短辺側の側板３ａが変形しないようにできるものである。
【００３１】
一方、折り畳みコンテナを使用するために箱状に組み立てるには、先ず、水平に倒れている短辺側の両側板３ａをそれぞれ回動して起立させ、その後、重なった状態で倒れている長辺側の側板２ａのうち上の長辺側の側板２ａを回動して起立させ、次に、残りの下の長辺側の側板２ａを回動して起立させて図７に示すように箱状に組み立てるものである。この箱状に組み立てた状態では、起立状態で長辺側の側板２ａの両端部を支持突部４で受けて支持することで長辺側の側板２ａが起立状態で外側に倒れるのを防止するようになっている。なお、添付図面に示す実施形態では、支持突部４が係止手段６を兼用しており、箱状に組立てた状態で短辺側の側板３ａの両端部に設けた係止手段６に長辺側の側板２ａの両端部に設けた被係止手段７を着脱自在に係止して箱形状に組み立てた状態を保持するようになっている。
【００３２】
このようにして折り畳みコンテナを箱状に組み立て、箱状の内部に収納物を収納して搬送したり、保管したりするのであるが、上記実施形態においては、長辺側の側板２ａの底板１の長辺と直交する方向の長さを底板１の短辺側の長さの略１／２以上の長さとしてあるので、箱状に組み立てた状態における折り畳みコンテナの嵩をより高くできて深さが深くなり、大量の収納物を収納でき、また、嵩の高い収納物であっても折り畳みコンテナの上開口から飛び出さないように収納することが可能となるものであり、折り畳みコンテナを上下に積み重ねても何ら問題がないものである。
【００３３】
本発明は、長辺側の側板２ａの先端部分の倒した状態で下面となる部位に凹み部１０を設けてある。これにより、図１に示すように倒した際に下となる長辺側の側板２ａの凹み部１０よりも軸支側にずれた位置のＡ部分が底板１の上面に当接することとなり、また倒した際に上になる長辺側の側板２ａの凹み部１０が倒した際に下となる長辺側の側板２ａの先端部分の上面に面接触して重なるものであり、このものにおいては凹み部１０を形成することで長辺側の側板２ａを倒して重ねた場合の嵩をより低くできるものである。
【符号の説明】
【００３４】
１  底板
２  側板
２ａ  長辺側の側板
３  側板
３ａ  短辺側の側板
４  支持突部
【図１】
2010116211.tif 000003
【図２】
2010116211.tif 000004
【図３】
2010116211.tif 000005
【図４】
2010116211.tif 000006
【図５】
2010116211.tif 000007
【図６】
2010116211.tif 000008
【図７】
2010116211.tif 000009
【図８】
2010116211.tif 000010
【図９】
2010116211.tif 000011
【図１０】
2010116211.tif 000012
【図１１】
2010116211.tif 000013
【図１２】
2010116211.tif 000014
【図１３】
2010116211.tif 000015